(57)【要約】【課題】開封性が向上するとともに、開封後の美観のよい段ボール箱を提供する。【解決手段】段ボール箱３０であって、少なくとも前壁３２及び後壁に、前壁３２及び後壁の高さ方向中央となる部分の裏ライナ側に断続的に形成された平行な上側切断線と下側切断線とによって囲まれて構成された引裂帯が備えられ、前壁３２及び後壁に、前壁３２及び後壁の幅方向中央において引裂帯を横断するように段ボールシートを貫通して形成された横断貫通線２０と、横断貫通線２０の両端近傍から、側壁３３に向けて、段ボールシートを断続的に貫通して形成された左右一対の上側貫通線２１及び下側貫通線２２と、によって囲まれて構成される左右一対の開封案内帯２３と、が備えられ、開封案内帯２３は天壁３１側に偏った位置に備えられている。【選択図】図３
2018104003.tif 000002
【特許請求の範囲】
【請求項１】
表ライナと裏ライナとの間に波形に成形された中芯を挟んで構成される段ボールシートから構成され、天壁、前壁、底壁、後壁、及び、左右の側壁とを備えた段ボール箱であって、
少なくとも前記前壁及び前記後壁に、前記前壁及び前記後壁の高さ方向中央となる部分の裏ライナ側に断続的に形成された平行な上側切断線と下側切断線とによって囲まれて構成された引裂帯が備えられ、
前記前壁及び前記後壁に、前記前壁及び前記後壁の幅方向中央において前記引裂帯を横断するように前記段ボールシートを貫通して形成された横断貫通線と、前記横断貫通線の両端近傍から、前記側壁に向けて、前記段ボールシートを断続的に貫通して形成された左右一対の上側貫通線及び下側貫通線と、によって囲まれて構成される左右一対の開封案内帯と、が備えられ、
前記開封案内帯は前記天壁側に偏った位置に備えられている段ボール箱。
【請求項２】
前記横断貫通線の長さは、３０ｍｍ以上かつ５０ｍｍ以下である請求項１に記載の段ボール箱。
【請求項３】
前記上側貫通線及び前記下側貫通線は、前記上側切断線及び前記下側切断線と平行である請求項１又は２に記載の段ボール箱。
【請求項４】
前記上側貫通線及び前記下側貫通線は、前記横断貫通線側の始端部から前記側壁側の終端部までの長さが、前記横断貫通線から前記側壁までの長さの１／３以上である請求項３に記載の段ボール箱。
【請求項５】
前記上側貫通線及び前記下側貫通線は、前記横断貫通線側の始端部から前記側壁側の終端部までの長さが、前記横断貫通線から前記側壁までの長さの１／２以下である請求項４に記載の段ボール箱。
【請求項６】
前記下側貫通線は、前記下側切断線と平行であり、
前記上側貫通線は、前記上側貫通線に対して１０度以上２０度以下の角度をなすように傾斜している請求項１又は２に記載の段ボール箱。
【請求項７】
前記下側貫通線は、前記横断貫通線側の始端部から前記側壁側の終端部までの長さが、前記横断貫通線から前記側壁までの長さの１／３以上かつ１／２以下である請求項６に記載の段ボール箱。
【請求項８】
前記上側貫通線は、前記横断貫通線側の始端部から、当該上側貫通線が形成された前記前壁又は前記後壁と、前記天壁と、前記側壁とから構成される角部まで形成されている請求項６又は７に記載の段ボール箱。
【請求項９】
表ライナと裏ライナとの間に波形に成形された中芯を挟んで構成される段ボールシートから構成され、天壁、前壁、底壁、後壁、及び、左右の側壁とを備えた段ボール箱であって、
少なくとも前記前壁及び前記後壁に、前記前壁及び前記後壁の高さ方向中央となる部分の裏ライナ側に断続的に形成された平行な上側切断線と下側切断線とによって囲まれて構成された引裂帯が備えられ、
前記前壁及び前記後壁に、前記前壁及び前記後壁の幅方向中央において前記引裂帯を横断するように前記段ボールシートを貫通して形成された横断貫通線と、前記横断貫通線の両端近傍から、前記側壁に向けて、前記段ボールシートを断続的に貫通して形成された左右一対の上側貫通線及び下側貫通線と、によって囲まれて構成される左右一対の開封案内帯と、が備えられ、
前記下側貫通線は、前記下側切断線と平行であり、
前記上側貫通線は、前記上側貫通線に対して１０度以上２０度以下の角度をなすように傾斜している段ボール箱。
【請求項１０】
前記下側貫通線は、前記横断貫通線側の始端部から前記側壁側の終端部までの長さが、前記横断貫通線から前記側壁までの長さの１／３以上かつ１／２以下である請求項９に記載の段ボール箱。
【請求項１１】
前記上側貫通線は、前記横断貫通線側の始端部から、当該上側貫通線が形成された前記前壁又は前記後壁と、前記天壁と、前記側壁とから構成される角部まで形成されている請求項９又は１０に記載の段ボール箱。
【請求項１２】
請求項１から１１のいずれか一項に記載の段ボール箱を構成するボックスブランクであって、
表ライナと裏ライナとの間に波形に成形された中芯を挟んで構成される段ボールシートから構成され、前記段ボール箱の天壁を構成する天面部、前壁を構成する前面部、底壁を構成する底面部及び後壁を構成する後面部が各間に罫線を介してこの順に備えられるとともに、前記天面部又は前記後面部のいずれかに、前記天面部と前記後面部とを互いに接合する継ぎ代が罫線を介して備えられ、前記前面部の側縁及び前記後面部の側縁に罫線を介して、それぞれ一対の内フラップが備えられ、前記天面部の側縁及び前記底面部の側縁に罫線を介して、それぞれ一対の外フラップが備えられ、前記内フラップ及び前記外フラップが前記段ボール箱の側壁を構成するボックスブランク。
【発明の詳細な説明】
【技術分野】
【０００１】
本発明は、表ライナと裏ライナとの間に波形に成形された中芯を挟んで構成される段ボールシートから構成され、天壁、前壁、底壁、後壁、及び、左右の側壁とを備えた段ボール箱等に関する。
【背景技術】
【０００２】
特許文献１に示すように、缶やペットボトルのような容器入り飲料製品等の包装用箱として、表ライナと裏ライナとの間に波形に成形された中芯を挟んで構成される段ボールシートから構成されている段ボール箱が広く使用されている。
【０００３】
この段ボール箱は、天壁、前壁、底壁、後壁、及び、左右の側壁のうち、前壁、後壁及び各側壁のそれぞれに、前壁、後壁及び各側壁の高さ方向中央となる部分の裏ライナ側に断続的に形成された平行な上側切断線と下側切断線とによって囲まれて構成された引裂帯が備えられ、前壁及び後壁のそれぞれに、前壁及び後壁の幅方向中央において引裂帯における引き裂きの基端となるＨ字状の切込部が備えられている。
【０００４】
この段ボール箱は、メーカーから出荷、配送の際には包装用の箱として使用され、酒屋やスーパーマーケット等の店頭では、陳列ができるように段ボール箱をハーフカットしたトレー形式にすることが求められている。トレー形式にする際に、切込部に指先を入れ、両側に向けて引っ張ることによって引裂帯において段ボールシートが切り裂かれ、最終的に上下に分割、すなわち開封され、上側の部分は取り外され、下側の部分はそのまま容器入り飲料製品の陳列販売用のトレーとして使用される。
【先行技術文献】
【特許文献】
【０００５】
【特許文献１】特開２０１２−２２９０６１号公報
【発明の概要】
【発明が解決しようとする課題】
【０００６】
しかし、従来の段ボール箱は、引裂帯が裏ライナ側が切断された切断線に囲まれて形成される構成であるため、開封時に引裂帯が途中で断絶してしまい安定かつ確実に開封できなかったり、また、開封されたとしても、陳列販売用のトレーを構成する側面の形状が悪い場合があった。
【０００７】
このような問題は、段ボールシートの薄型化をはかる場合に顕著に現れる虞があった。
【課題を解決するための手段】
【０００８】
本発明は、上述したような問題点を解決するためのものであり、開封性が向上するとともに、開封後の美観のよい段ボール箱及びボックスブランクを提供することを目的としている。
【０００９】
上述の目的を達成するための、本発明に係る段ボール箱の特徴構成は、表ライナと裏ライナとの間に波形に成形された中芯を挟んで構成される段ボールシートから構成され、天壁、前壁、底壁、後壁、及び、左右の側壁とを備えた段ボール箱であって、少なくとも前記前壁及び前記後壁に、前記前壁及び前記後壁の高さ方向中央となる部分の裏ライナ側に断続的に形成された平行な上側切断線と下側切断線とによって囲まれて構成された引裂帯が備えられ、前記前壁及び前記後壁に、前記前壁及び前記後壁の幅方向中央において前記引裂帯を横断するように前記段ボールシートを貫通して形成された横断貫通線と、前記横断貫通線の両端近傍から、前記側壁に向けて、前記段ボールシートを断続的に貫通して形成された左右一対の上側貫通線及び下側貫通線と、によって囲まれて構成される左右一対の開封案内帯と、が備えられ、前記開封案内帯は前記天壁側に偏った位置に備えられている点にある。
【００１０】
上述の構成によると、裏ライナ側が切断された切断線に囲まれて形成される引裂帯より広い幅となる位置に、段ボールシートを貫通する貫通線に囲まれて形成される開封案内帯を設けることによって、開封時に段ボールシートは当該貫通線の部分において確実に切断されるため、従来のように引裂帯が途中で断絶してしまう虞を低減できる、すなわち開封性を向上させることができるようになった。そして、開封案内帯は天壁側に偏った位置に備えられている、すなわち開封案内帯の指入性を確保しつつも、下側貫通線と下側切断線とを近づけることができるので、開封時に段ボールシートは下側貫通線から下側切断線へとなめらかに切断されるため、開封性が向上しながらも陳列販売用のトレーを構成する側面の形状の美観がよいものとなる。したがって、段ボールシートの薄型化をはかることができるようになった。
【００１１】
本発明においては、前記横断貫通線の長さは、３０ｍｍ以上かつ５０ｍｍ以下であると好適である。
【００１２】
横断貫通線の長さが短いと指先を挿し入れることが困難であるが、横断貫通線の長さが、３０ｍｍ以上かつ５０ｍｍ以下であれば、一般的な成人の指先を二本から三本を十分に挿し入れることができる。これにより、開封案内帯をしっかり掴むことができるようになった。なお、横断貫通線は４０ｍｍ程度の長さを有することが好ましい。
【００１３】
本発明においては、前記上側貫通線及び前記下側貫通線は、前記上側切断線及び前記下側切断線と平行であると好適である。さらに、本発明においては、前記上側貫通線及び前記下側貫通線は、前記横断貫通線側の始端部から前記側壁側の終端部までの長さが、前記横断貫通線から前記側壁までの長さの１／３以上であると好適である。またさらに、本発明においては、前記上側貫通線及び前記下側貫通線は、前記横断貫通線側の始端部から前記側壁側の終端部までの長さが、前記横断貫通線から前記側壁までの長さの１／２以下であると好適である。
【００１４】
発明者らは、鋭意研究の結果、引裂帯のなめらかな引き裂きを可能とするためには、上側貫通線及び下側貫通線は、横断貫通線側の始端部から側壁側の終端部までの長さが、横断貫通線から側壁までの長さの１／３以上であると良いという知見を得た。
【００１５】
上側貫通線及び下側貫通線は、段ボールシートを貫通して形成されているため、長すぎると、段ボール箱の包装用の箱としての強度の低下の原因となる。発明者らは、鋭意研究の結果、上側貫通線及び下側貫通線は、横断貫通線側の始端部から側壁側の終端部までの長さが、横断貫通線から側壁までの長さの１／２以下であると、段ボール箱の包装用の箱としての強度を担保できる知見を得た。
【００１６】
該段ボール箱、ないし、該段ボール箱の元となるボックスブランクの搬送工程においては、吸着カップを用いて搬送することが行われている。上側貫通線及び下側貫通線は段ボールシートを貫通して形成されているため、該部分においては吸着カップによって吸着させることができない。上側貫通線及び下側貫通線を長くしすぎると、吸着カップによって吸着可能な部分を減らすことになってしまう。このような観点から上側貫通線及び下側貫通線は必要以上に長くせず上記範囲に収める。
【００１７】
本発明においては、前記下側貫通線は、前記下側切断線と平行であり、前記上側貫通線は、前記上側貫通線に対して１０度以上２０度以下の角度をなすように傾斜していると好適である。
【００１８】
段ボール箱を開封する作業は、通常、一般的な成人の胸の高さよりも低い位置において行われる。指先を横断貫通線に挿し入れて開封案内帯を摘んで、肩を回しながら肘を引くと、指先は斜め後方に引き上げられるような動きをする。上側貫通線は、前記上側貫通線に対して１０度以上２０度以下の角度をなすように傾斜しているため、前記指先の動きに応じてなめらかに切り裂かれる。
【００１９】
該段ボール箱、ないし、該段ボール箱の元となるボックスブランクの搬送工程においては、吸着カップを用いて搬送することが行われている。上側貫通線は段ボールシートを貫通して形成されているため、該部分においては吸着カップによって吸着させることができない。通常、上側貫通線を長くしすぎると、吸着カップによって吸着可能な部分を減らすことになってしまう。しかし、上側貫通線を傾斜するように形成することにより、上側貫通線を長くしながらも、吸着カップが吸着できる余地を残すことができる。
【００２０】
本発明においては、前記下側貫通線は、前記横断貫通線側の始端部から前記側壁側の終端部までの長さが、前記横断貫通線から前記側壁までの長さの１／３以上かつ１／２以下であると好適である。
【００２１】
発明者らは、鋭意研究の結果、下側貫通線は、横断貫通線側の始端部から側壁側の終端部までの長さが、横断貫通線から側壁までの長さの１／３以上かつ１／２以下であると、引裂帯のなめらかな引き裂きを可能としながらも、段ボール箱の包装用の箱としての強度を担保できる知見を得た。
【００２２】
該段ボール箱、ないし、該段ボール箱の元となるボックスブランクの搬送工程においては、吸着カップを用いて搬送することが行われている。下側貫通線は段ボールシートを貫通して形成されているため、該部分においては吸着カップによって吸着させることができない。下側貫通線を長くしすぎると、吸着カップによって吸着可能な部分を減らすことになってしまう。このような観点から下側貫通線は必要以上に長くせず上記範囲に収める。
【００２３】
本発明においては、前記上側貫通線は、前記横断貫通線側の始端部から、当該上側貫通線が形成された前記前壁又は前記後壁と、前記天壁と、前記側壁とから構成される角部まで形成されていると好適である。
【００２４】
上述の構成によると、上側貫通線は、開封の際に始端部から終端部である角部まで引き裂かれ得る。引裂帯の帯幅がだんだん狭くなり、引き裂き途中で断絶するような虞がなくなる。
【００２５】
上述の目的を達成するための、本発明に係る段ボール箱の特徴構成は、表ライナと裏ライナとの間に波形に成形された中芯を挟んで構成される段ボールシートから構成され、天壁、前壁、底壁、後壁、及び、左右の側壁とを備えた段ボール箱であって、少なくとも前記前壁及び前記後壁に、前記前壁及び前記後壁の高さ方向中央となる部分の裏ライナ側に断続的に形成された平行な上側切断線と下側切断線とによって囲まれて構成された引裂帯が備えられ、前記前壁及び前記後壁に、前記前壁及び前記後壁の幅方向中央において前記引裂帯を横断するように前記段ボールシートを貫通して形成された横断貫通線と、前記横断貫通線の両端近傍から、前記側壁に向けて、前記段ボールシートを断続的に貫通して形成された左右一対の上側貫通線及び下側貫通線と、によって囲まれて構成される左右一対の開封案内帯と、が備えられ、前記下側貫通線は、前記下側切断線と平行であり、前記上側貫通線は、前記上側貫通線に対して１０度以上２０度以下の角度をなすように傾斜している点にある。
【００２６】
上述の構成によると、裏ライナ側が切断された切断線に囲まれて形成される引裂帯より広い幅となる位置に、段ボールシートを貫通する貫通線に囲まれて形成される開封案内帯を設けることによって、開封時に段ボールシートは当該貫通線の部分において確実に切断されるため、従来のように引裂帯が途中で断絶してしまう虞を低減できる、すなわち開封性を向上させることができるようになった。
【００２７】
段ボール箱を開封する作業は、通常、一般的な成人の胸の高さよりも低い位置において行われる。指先を横断貫通線に挿し入れて開封案内帯を摘んで、肩を回しながら肘を引くと、指先は斜め後方に引き上げられるような動きをする。上側貫通線は、前記上側貫通線に対して１０度以上２０度以下の角度をなすように傾斜しているため、前記指先の動きに応じてなめらかに切り裂かれる。
【００２８】
該段ボール箱、ないし、該段ボール箱の元となるボックスブランクの搬送工程においては、吸着カップを用いて搬送することが行われている。上側貫通線は段ボールシートを貫通して形成されているため、該部分においては吸着カップによって吸着させることができない。通常、上側貫通線を長くしすぎると、吸着カップによって吸着可能な部分を減らすことになってしまう。しかし、上側貫通線を傾斜するように形成することにより、上側貫通線を長くしながらも、吸着カップが吸着できる余地を残すことができる。
【００２９】
本発明においては、前記下側貫通線は、前記横断貫通線側の始端部から前記側壁側の終端部までの長さが、前記横断貫通線から前記側壁までの長さの１／３以上かつ１／２以下であると好適である。
【００３０】
発明者らは、鋭意研究の結果、下側貫通線は、横断貫通線側の始端部から側壁側の終端部までの長さが、横断貫通線から側壁までの長さの１／３以上かつ１／２以下であると、引裂帯のなめらかな引き裂きを可能としながらも、段ボール箱の包装用の箱としての強度を担保できる知見を得た。
【００３１】
本発明においては、前記上側貫通線は、前記横断貫通線側の始端部から、当該上側貫通線が形成された前記前壁又は前記後壁と、前記天壁と、前記側壁とから構成される角部まで形成されていると好適である。
【００３２】
上述の構成によると、上側貫通線は、開封の際に始端部から終端部である角部まで引き裂かれ得る。引裂帯の帯幅がだんだん狭くなり、引き裂き途中で断絶するような虞がなくなる。
【００３３】
上述の目的を達成するための、本発明に係るボックスブランクの特徴構成は、上述の特徴構成を備えた段ボール箱を構成するボックスブランクであって、表ライナと裏ライナとの間に波形に成形された中芯を挟んで構成される段ボールシートから構成され、前記段ボール箱の天壁を構成する天面部、前壁を構成する前面部、底壁を構成する底面部及び後壁を構成する後面部が各間に罫線を介してこの順に備えられるとともに、前記天面部又は前記後面部のいずれかに、前記天面部と前記後面部とを互いに接合する継ぎ代が罫線を介して備えられ、前記前面部の側縁及び前記後面部の側縁に罫線を介して、それぞれ一対の内フラップが備えられ、前記天面部の側縁及び前記底面部の側縁に罫線を介して、それぞれ一対の外フラップが備えられ、前記内フラップ及び前記外フラップが前記段ボール箱の側壁を構成する点にある。
【００３４】
上述の構成によると、開封性が向上するとともに、開封後の美観のよい段ボール箱を構成することができる。
【図面の簡単な説明】
【００３５】
【図１】本発明に係るボックスブランクの説明図である。
【図２】本発明に係るボックスブランクの要部の拡大図である。
【図３】本発明に係る段ボール箱を開封する前の斜視図である。
【図４】本発明に係る段ボール箱を開封する途中の斜視図である。
【図５】本発明に係る段ボール箱を開封した後の斜視図である。
【図６】別実施形態に係るボックスブランクの説明図である。
【図７】別実施形態に係るボックスブランクの要部の拡大図である。
【図８】別実施形態に係る段ボール箱の斜視図である。
【発明を実施するための形態】
【００３６】
以下、本発明の実施形態を図面に基づいて説明する。図１には、本発明に係るボックスブランク１が示されている。図３に示す、本発明に係る段ボール箱３０は、このボックスブランク１から構成することができる。
【００３７】
図１においては、ボックスブランク１は、図３に示す段ボール箱３０を構成したときに内面となる面が示されており、したがって、この面に商品を包みこむように組み立てると図３に示す段ボール箱３０となる。図１中のボックスブランク１の裏面に段ボール箱３０に包装される商品の商標や宣伝、商品管理や物流管理のためのバーコードなどが印刷されている。
【００３８】
ボックスブランク１は、表ライナ２と裏ライナ３との間に波形に成形された中芯４を挟んで構成される段ボールシートから構成され、図３に示す段ボール箱３０の天壁３１を構成する天面部１０、前壁３２を構成する前面部１１、底壁を構成する底面部１２及び後壁を構成する後面部１３が各間に罫線を介してこの順に備えられている。後面部１３に、天面部１０と後面部１３とを接合する継ぎ代１４が罫線を介して備えられている。なお、継ぎ代１４は、後面部１３側ではなく、天面部１０側に備えられていてもよい。前面部１１の側縁及び後面部１３の側縁に罫線を介して、それぞれ一対の内フラップ１５が備えられ、天面部１０の側縁及び底面部１２の側縁には罫線を介して、それぞれ一対の外フラップ１６が備えられ、内フラップ１５及び外フラップ１６が段ボール箱３０の側壁３３を構成する。
【００３９】
なお、図１及び図３には、段ボール箱３０及びボックスブランク１について、ＪＩＳ−Ｚ−１５０７の０４０６形である場合について示されているが、本発明に係る段ボール箱３０は、図１に示されるボックスブランク１以外の展開図を有するボックスブランクから構成されてもよい。
【００４０】
段ボール箱３０の寸法は、包装される商品の大きさ、重量、個数に応じて決定される。本実施形態においては、商品は、３５０ｍｌの缶製品であり、段ボール箱３０には２４本が包装される。したがって、本実施形態における段ボール箱３０は、内寸法が幅３９７ｍｍ、奥行き２６５ｍｍ、高さ１２３ｍｍであり、外寸法が幅４０９ｍｍ、奥行き２７１ｍｍ、高さ１２９ｍｍである。使用する段ボールシートの材質は、例えばＢ段の両面段ボールであり、これを構成する段ボールシートの構成（表ライナ／中芯／裏ライナ）はＣ１２０／Ｓ１２０／Ｃ１２０である。ただし、段ボールシートの構成については上記のものに限定されず、他の構成であってもよい。
【００４１】
図１及び図２に示すように、段ボールシートは、前面部１１、後面部１３及び各内フラップ１５に、段ボール箱３０の高さ方向中央となる部分の裏ライナ３側に断続的に形成された平行な上側切断線１７と下側切断線１８が備えられている。上側切断線１７と下側切断線１８との距離は１５ｍｍである。
【００４２】
上側切断線１７と下側切断線１８とによって囲まれた部分が、段ボール箱３０を開封するための引裂帯１９を構成する。引裂帯１９を引っ張ると、上側切断線１７及び下側切断線１８において、断続的に形成された小孔間の段ボールシートが次々と切断され各小孔が繋がり、段ボール箱３０は上下に分割される。
【００４３】
前面部１１及び後面部１３に、段ボール箱３０の高さ方向中央において引裂帯１９を横断するように段ボールシートを貫通して形成された横断貫通線２０と、横断貫通線２０の両端近傍から隣接する内フラップ１５に向けて、段ボールシートを断続的に貫通して形成された左右一対の上側貫通線２１及び下側貫通線２２と、によって囲まれて構成される左右一対の開封案内帯２３が備えられている。
【００４４】
横断貫通線２０の長さは、４０ｍｍである。なお、横断貫通線２０の長さは、３０ｍｍ以上かつ５０ｍｍ以下であることが好ましい。横断貫通線２０の長さを４０ｍｍとすることによって、一般的な成人の指先を二本から三本が十分に挿し入れることができるようになるため、後述するように、開封案内帯２３をしっかりと掴むことができ、開封性を向上させることができる。
【００４５】
裏ライナ３側が切断された上側切断線１７及び下側切断線１８に囲まれて形成される引裂帯１９より広い幅となる位置に、段ボールシートを貫通する横断貫通線２０、上側貫通線２１及び下側貫通線２２に囲まれて形成される開封案内帯２３を設けることによって、開封時に段ボールシートは当該貫通線の部分において確実に切断されるため、従来のように引裂帯１９が途中で断絶してしまう虞を低減できる、すなわち開封性を向上させることができるようになった。そして、開封案内帯２３は天壁３１側に偏った位置に備えられている、すなわち開封案内帯２３の指入性を確保しつつも、下側貫通線２２と下側切断線１８とを近づけることができるので、開封時に段ボールシートは下側貫通線２２から下側切断線１８へとなめらかに切断されるため、開封性が向上しながらも陳列販売用のトレー３４を構成する側面の形状の美観がよいものとなる。したがって、段ボールシートの薄型化をはかることができるようになった。また、開封された後の段ボール箱３０の下側の部分である陳列販売用のトレー３４の側面を構成する部分の面積をより多く残すことができるため、開封後における強度の低下が少ない。
【００４６】
図３に示すように、上側貫通線２１及び下側貫通線２２は、上側切断線１７及び下側切断線１８と平行であり、上側貫通線２１は、上側切断線１７から１７．５ｍｍ上方に形成され、下側貫通線は、下側切断線１８から７．５ｍｍ下方に形成されている。すなわち、開封案内帯２３は天面部１０側に偏った位置に備えられている。
【００４７】
上側貫通線２１は、横断貫通線２０側の長切断部２１ａと、短切断部２１ｂとから構成されている。長切断部２１ａは、横断貫通線２０から４ｍｍの隙間をあけて形成された長さ２０ｍｍの貫通線である。短切断部２１ｂは、長切断部２１ａから１０ｍｍの隙間をあけた位置に配置され、７本の３ｍｍの貫通線が、５ｍｍの非切断部を挟んで直列的に繰り返し形成されて構成されている。短切断部２１ｂのうち内フラップ１５側の二本には、それぞれ上側切断線１７へ向かう誘導貫通線２１ｃが形成されている。誘導貫通線２１ｃは、３ｍｍの貫通線からさらに内フラップ１５側へ３ｍｍかつ上側切断線１７側へ２ｍｍだけ延びて構成される。ただし、誘導貫通線２１ｃの本数は例示であり、なくてもよい。
【００４８】
下側貫通線２２は、横断貫通線２０側の長切断部２２ａと、短切断部２２ｂとから構成されている。長切断部２２ａは、横断貫通線２０から４ｍｍの隙間をあけて形成された長さ２０ｍｍの貫通線である。短切断部２２ｂは、長切断部２２ａから１０ｍｍの隙間をあけた位置に配置され、７本の３ｍｍの貫通線が、５ｍｍの非切断部を挟んで直列的に繰り返し形成されて構成されている。短切断部２２ｂのうち内フラップ１５側の二本には、それぞれ下側切断線１８へ向かう誘導貫通線２２ｃが形成されている。誘導貫通線２２ｃは、３ｍｍの貫通線からさらに内フラップ１５側へ３ｍｍかつ下側切断線１８側へ２ｍｍだけ延びて構成される。ただし、誘導貫通線２２ｃの本数は例示であり、なくてもよい。
【００４９】
本実施形態においては、上側貫通線２１及び下側貫通線２２の全長はそれぞれ８８ｍｍとなっているが、上側貫通線２１及び下側貫通線２２は、横断貫通線２０側の始端部から内フラップ１５側の終端部までの長さが、横断貫通線２０から前面部１１と内フラップ１５との罫線までの長さである約２００ｍｍの１／３以上かつ１／２以下であればよい。発明者らは、鋭意研究の結果、上側貫通線２１及び下側貫通線２２の長さが、前記の範囲内であれば、なめらかな開封が可能となりながらも、段ボール箱３０の包装用の箱としての強度を担保できることを見出した。
【００５０】
該段ボール箱３０、ないし、該段ボール箱３０の元となるボックスブランク１の搬送工程においては、吸着カップを用いて搬送することが行われている。上側貫通線２１及び下側貫通線２２は段ボールシートを貫通して形成されているため、該部分においては吸着カップによって吸着させることができない。上側貫通線２１及び下側貫通線２２を長くしすぎると、吸着カップによって吸着可能な部分を減らすことになってしまう。このような観点から上側貫通線２１及び下側貫通線２２は必要以上に長くせず上記範囲に収める。
【００５１】
本実施形態においては、上側切断線１７のうち、前面部１１及び後面部１３のうち内フラップ１５側と、内フラップ１５のうち前面部１１及び後面部１３側に、上側切断線１７と４５度の角度をなして傾斜し、段ボールシートを貫通して形成された５本の上側傾斜貫通線２４と、下側切断線１８と４５度をなして傾斜し、段ボールシートを貫通して形成された５本の下側傾斜線２５とが形成されている。少なくとも一本目の上側傾斜貫通線２４及び下側傾斜線２５は、前面部１１と内フラップ１５との罫線、後面部１３と内フラップ１５との罫線を跨いで形成されている。なお、上側傾斜貫通線２４及び下側傾斜線２５の本数は例示であり、内フラップ１５の側縁まで繰り返し備えられてもよい。
【００５２】
各上側傾斜貫通線２４は、上側切断線１７に沿う方向の長さが１２ｍｍかつ上側切断線１７に直交する方向の長さが１２ｍｍであり、隣り合う上側傾斜貫通線２４の間隔が１０ｍｍである。下側傾斜線２５は、下側切断線１８に沿う方向の長さが８ｍｍかつ下側切断線１８に直交する方向の長さが８ｍｍであり、隣り合う下側傾斜線２５の間隔が１０ｍｍである。なお、上側傾斜貫通線２４及び下側傾斜線２５の長さは例示であり、これ以外の長さであってもよい。
【００５３】
上述のように構成された、ボックスブランク１から、図３に示す段ボール箱３０を組み立てるには、ボックスブランク１の広告が印刷された側の面を底にして、底面部１２の上に缶製品を並べて配置し、前面部１１、天面部１０及び後面部１３によって缶製品を包み、継ぎ代１４を天面部１０に貼着することによって、段ボール箱３０の天壁３１、前壁３２、後壁及び底壁を構成するとともに、内フラップ１５及び外フラップ１６を重ね合わせて互いに貼着することによって側壁３３を構成する。
【００５４】
段ボール箱３０は、上記のように缶製品が包装された状態で、メーカーから出荷され、酒屋やスーパーマーケット等に配送される。そして、酒屋やスーパーマーケット等の店頭で陳列される。
【００５５】
図２に示すように、横断貫通線２０と、上側貫通線２１のうち長切断部２１ａと、下側貫通線２２のうち長切断部２２ａとに囲まれた部分に指先を挿し入れると、横断貫通線２０と上側貫通線２１のうち長切断部２１ａとが繋がり、横断貫通線２０と下側貫通線２２のうち長切断部２２ａとが繋がり、これらによって囲まれた開封案内帯２３を摘んで引っ張ると、上側貫通線２１及び下側貫通線２２において、断続的に形成された小孔間の段ボールシートが次々と切断され各小孔が繋がり、やがて誘導貫通線２１ｃ及び誘導貫通線２２ｃにおいて、それぞれ上側切断線１７及び特に下側切断線１８へと確実に誘導される。すなわち、図４に示すように、開封案内帯２３及びそれに連なる引裂帯１９において段ボールシートが切り裂かれ、最終的に上下に分割、すなわち開封され、上側の部分は取り外され、図５に示すように、下側の部分はそのまま商品、すなわち缶製品５の陳列販売用のトレー３４として使用される。
【００５６】
上述の実施形態においては、上側貫通線２１及び下側貫通線２２は、上側切断線１７及び下側切断線１８と平行である場合について説明したが、これに限定されない。
【００５７】
本発明に係る段ボール箱３０及びボックスブランク１は、図６に示すように、下側貫通線２２が下側切断線１８と平行でありながら、上側貫通線４１が上側切断線１７に対して角度θをなすように傾斜していてもよい。なお、この実施形態においても、下側貫通線２２は、図１から図５に示す実施形態と同様であるため、同じ符号を付して説明を省略する。本実施形態においては、角度θは約１２度であるが、角度θは１０度以上２０度以下の角度、好ましくは１２度以上１５度以下の角度であればよい。
【００５８】
上側貫通線４１は、横断貫通線２０側の始端部から、当該上側貫通線４１が形成された前面部１１又は後面部１３と、天面部１０と、内フラップ１５との交点まで形成されている。上側貫通線４１は、横断貫通線２０側の長切断部４１ａと、短切断部４１ｂとから構成されている。長切断部４１ａは、横断貫通線２０から４ｍｍの隙間をあけて形成された長さ２０ｍｍの貫通線である。短切断部４１ｂは、長切断部４１ａから１０ｍｍの隙間をあけた位置に配置され、３ｍｍの貫通線が、５ｍｍの非切断部を挟んで直列的に繰り返し形成されて構成されている。
【００５９】
本実施形態においては、天面部１０と外フラップ１６との罫線には、段ボールシートを貫通して形成された罫線貫通線４４が備えられている。罫線貫通線４４は、４ｍｍの貫通線が、４ｍｍの非切断部を挟んで直列的に繰り返して形成されて構成され、全長が４４ｍｍに構成されている。
【００６０】
段ボール箱３０を開封する作業は、通常、一般的な成人の胸の高さよりも低い位置において行われる。指先を横断貫通線２０に挿し入れて開封案内帯２３の端部を摘んで、肩を回しながら肘を引くと、指先は斜め後方に引き上げられるような動きをする。上側貫通線４１は、上側切断線１７に対して１０度以上２０度以下の角度、好ましくは１２度以上１５度以下をなすように傾斜しているため、指先の動きに応じてなめらかに切り裂かれる。その際、上側貫通線４１は、開封の際に始端部から終端部である角部まで引き裂かれ得る。引裂帯１９の帯幅がだんだん狭くなり、引き裂き途中で断絶するような虞がなくなる。なお、本実施形態においては、開封案内帯２３は天面部１０側に偏った位置に備えられていなくてもよい。
【００６１】
上述の構成により、開封性が向上するとともに、開封後の美観のよい段ボール箱及びボックスブランクを提供することができるようになった。
【００６２】
上述した実施形態は、いずれも本発明の一例であり、当該記載により本発明が限定されるものではなく、各部の具体的構成は本発明の作用効果が奏される範囲において適宜変更設計可能である。
【符号の説明】
【００６３】
１        ：ボックスブランク
２        ：表ライナ
３        ：裏ライナ
４        ：中芯
１０      ：天面部
１１      ：前面部
１２      ：底面部
１３      ：後面部
１４      ：継ぎ代
１５      ：内フラップ
１６      ：外フラップ
１７      ：上側破断線
１８      ：下側破断線
１９      ：引裂帯
２０      ：横断貫通線
２１      ：上側貫通線
２２      ：下側貫通線
２３      ：開封案内帯
３０      ：段ボール箱
３１      ：天壁
３２      ：前壁
３３      ：側壁
４１      ：上側貫通線
θ        ：角度
【図１】
2018104003.tif 000003
【図２】
2018104003.tif 000004
【図３】
2018104003.tif 000005
【図４】
2018104003.tif 000006
【図５】
2018104003.tif 000007
【図６】
2018104003.tif 000008
【図７】
2018104003.tif 000009
【図８】
2018104003.tif 000010